(57)【要約】      （修正有）【課題】少なくとも遺言等のように常時はできるだけ秘密にしておきたい紙に記入された情報を密封して他人が容易に見ることができないようにしたノートを提供する。【解決手段】情報を表示可能な表ページ２及び裏ページ３を有するとともに互いに止着される止着縁４を有した複数の紙１からなる冊子状に形成され、複数の紙１のうち連続する所定枚数の紙１を袋とじ可能にする袋とじ紙１０として構成し、袋とじ紙１０の隣接する一方の袋とじ紙１０ａの裏ページ３及び他方の袋とじ紙１０ｂの表ページ２であって止着縁４を除く外周縁部９に境界線２１により区画された所定幅の糊代部２０を形成し、少なくとも最初と最後の袋とじ紙１０の糊代部２０に、糊代部２０を貼着材を介して貼着可能なことを指示する貼着指示表示２３を付した。【選択図】図１
0003159461.tif 000002
【実用新案登録請求の範囲】
【請求項１】
情報を表示可能な表ページ及び裏ページを有するとともに互いに止着される止着縁を有した複数の紙からなる冊子状のノートにおいて、
上記複数の紙のうち連続する所定枚数の紙を袋とじ可能にする袋とじ紙として構成し、
上記袋とじ紙の隣接する一方の袋とじ紙の裏ページ及び他方の袋とじ紙の表ページであって上記止着縁を除く外周縁部に境界線により区画された所定幅の糊代部を形成し、
少なくとも最初と最後の袋とじ紙の糊代部に、該糊代部を貼着材を介して貼着可能なことを指示する貼着指示表示を付したことを特徴とするノート。
【請求項２】
上記貼着指示表示を、文字，図形，記号，色彩の少なくとも何れかから選択することを特徴とする請求項１記載のノート。
【請求項３】
上記複数の袋とじ紙が３枚以上連続するとき、最初と最後の袋とじ紙に挟まれる袋とじ紙の糊代部に該糊代部の境界線を切断して該糊代部を切除することを指示する切除指示表示を付したことを特徴とする請求項１または２記載のノート。
【請求項４】
上記切除指示表示を、上記貼着指示表示とは異なる文字，図形，記号，色彩の少なくとも何れかから選択することを特徴とする請求項３記載のノート。
【請求項５】
上記切除指示表示として図形を選択し、該図形としてハサミの絵としたことを特徴とする請求項４記載のノート。
【請求項６】
上記最初と最後の袋とじ紙に挟まれる袋とじ紙の境界線にミシン目を形成したことを特徴とする請求項３乃至５何れかに記載のノート。
【請求項７】
上記連続する袋とじ紙の組を複数組設けたことを特徴とする請求項１乃至６何れかに記載のノート。
【請求項８】
上記最初と最後の袋とじ紙の少なくともいずれか一方の糊代部に貼着材としての粘着材を付設し、該粘着材に引き剥がし可能な被覆テープを仮着したことを特徴とする請求項１乃至７何れかに記載のノート。
【考案の詳細な説明】
【技術分野】
【０００１】
本考案は、情報を表示可能な表ページ及び裏ページを有するとともに互いに止着される止着縁を有した複数の紙からなる冊子状のノートに係り、特に、例えば遺言等のように常時はできるだけ秘密にしておきたい情報を挿入することのできるノートに関する。
【背景技術】
【０００２】
従来、この種のノートとしては、特許文献１（特開２００６−２２４３５３号公報）に記載されたものが知られている。
図６に示すように、このノートＮａは、情報を表示可能な表ページ１０１及び裏ページ１０２を有するとともに互いに止着される止着縁１０３を有した複数の紙１００からなる冊子状に形成され、表紙の裏ページ１０４に遺言等が入力されたＤＶＤやＣＤ等の電子媒体１０５が収納される収納袋１０６を有し、一般の紙のページ１０７にも使用者が文字，図形，記号等を使用して遺言等を自由に記入できるようになっている。
【先行技術文献】
【特許文献】
【０００３】
【特許文献１】特開２００６−２２４３５３号公報
【考案の概要】
【考案が解決しようとする課題】
【０００４】
しかしながら、この従来のノートＮａにおいては、遺言等が入力された電子媒体１０５は、リーダで読むのでパスワード等である程度秘密性を保持できるが、一般の紙のページ１０７に記入された情報は、見開きなので秘密性を保持できないという問題があった。
【０００５】
本考案は、このような問題点に鑑みてなされたもので、少なくとも遺言等のように常時はできるだけ秘密にしておきたい紙に記入された情報を密封して他人が容易に見ることができないようにしたノートを提供することを目的とする。
【課題を解決するための手段】
【０００６】
このような目的を達成するため、本考案のノートは、情報を表示可能な表ページ及び裏ページを有するとともに互いに止着される止着縁を有した複数の紙からなる冊子状のノートにおいて、上記複数の紙のうち連続する所定枚数の紙を袋とじ可能にする袋とじ紙として構成し、上記袋とじ紙の隣接する一方の袋とじ紙の裏ページ及び他方の袋とじ紙の表ページであって上記止着縁を除く外周縁部に境界線により区画された所定幅の糊代部を形成し、少なくとも最初と最後の袋とじ紙の糊代部に、該糊代部を貼着材を介して貼着可能なことを指示する貼着指示表示を付した構成としている。
【０００７】
これにより、このノートを使用するときは、ノートに情報を記入する等して表示するが、このとき、例えば遺言等の常時はできるだけ秘密にしておきたい情報は袋とじ紙に表示しておく。そして、貼着指示表示の指示に従って、複数の袋とじ紙を、その隣接する一方の袋とじ紙の裏ページと他方の袋とじ紙の表ページとの糊代部同士を貼着材を介して貼着していき、複数の袋とじ紙を袋とじする。
【０００８】
この場合、袋とじ紙に表示された遺言等の常時はできるだけ秘密にしておきたい情報は、袋とじにされて密封されているので、貼着された糊代部を切断して切除するか、あるいは貼着された糊代部を無理やり剥がすことでしか見ることができず、そのため、他人によって秘密情報を容易に見られることが防止される。もし、他人が袋とじ紙に表示された情報を見た場合には、袋とじ紙の貼着された糊代部を切除したり剥したりした形跡が残ってしまうので、その事実が容易に知れることになる。
【０００９】
そして、必要に応じ、上記貼着指示表示を、文字，図形，記号，色彩の少なくとも何れかから選択する構成としている。
これにより、糊代部が明確になるとともに、この糊代部をどのように使用するのかが、使用者に分かりやすくなる。
【００１０】
また、必要に応じ、上記複数の袋とじ紙が３枚以上連続するとき、最初と最後の袋とじ紙に挟まれる袋とじ紙の糊代部に該糊代部の境界線を切断して該糊代部を切除することを指示する切除指示表示を付した構成としている。
これにより、複数の袋とじ紙を、その隣接する一方の袋とじ紙の裏ページと他方の袋とじ紙の表ページとの糊代部同士を貼着材を介して貼着していっても良いが、袋とじ紙が３枚以上連続するときには、最初と最後の袋とじ紙に挟まれる袋とじ紙の糊代部を切除指示表示に従って糊代部の境界線を切断して糊代部を切除し、その後、最初と最後の袋とじ紙の糊代部同士を貼着材を介して貼着することにより、貼着作業が一度で済むようになるので、複数の袋とじ紙を一枚ずつ貼着する場合に比較して、袋とじ紙を容易に袋とじすることができる。
【００１１】
更に、必要に応じ、上記切除指示表示を、上記貼着指示表示とは異なる文字，図形，記号，色彩の少なくとも何れかから選択する構成としている。
これにより、糊代部が明確になるとともに、この糊代部をどのように使用するのかが、使用者に分かりやすくなる。即ち、貼着指示表示が付された糊代部と切除指示表示が付された糊代部とを区別しやすくなり、そのため、糊代部が貼着するべきものであるのか、あるいは切除すべきものであるのかを容易に区別することができる。
【００１２】
更にまた、必要に応じ、上記切除指示表示として図形を選択し、該図形としてハサミの絵とした構成としている。
これにより、糊代部が切除すべきものであることが一目で分かるようになる。
【００１３】
そして、また、必要に応じ、上記最初と最後の袋とじ紙に挟まれる袋とじ紙の境界線にミシン目を形成した構成としている。
これにより、境界線に沿って綺麗に切断することができるとともに、切除すべき糊代部を容易に切除することができる。また、ハサミ等の切断具を用いなくても良いので、この点でも、糊代部を容易に切除することができる。
【００１４】
更に、必要に応じ、上記連続する袋とじ紙の組を複数組設けた構成としている。
これにより、常時は秘密にしておきたい情報が複数ある場合、項目毎に分けて袋とじすることができ、そのため、情報が整理しやすくなるとともに、開封する場合には見たい情報が表示されている袋とじだけを開封することができる。
【００１５】
更にまた、必要に応じ、上記最初と最後の袋とじ紙の少なくともいずれか一方の糊代部に貼着材としての粘着材を付設し、該粘着材に引き剥がし可能な被覆テープを仮着した構成としている。
これにより、複数の袋とじ紙の最初の袋とじ紙と最後の袋とじ紙とを貼着するときは、被覆テープを引き剥がして最初と最後の袋とじ紙の糊代部同士を貼り合わせることにより行なう。粘着材が付設されているので、別途貼着材を用いなくても良く、そのため、最初と最後の袋とじ紙の糊代部の貼着が容易になる。
【考案の効果】
【００１６】
本考案のノートによれば、遺言等の常時はできるだけ秘密にしておきたい情報を袋とじ紙に表示し、この複数の袋とじ紙を、その隣接する一方の袋とじ紙の裏ページと他方の袋とじ紙の表ページとの糊代部同士を貼着材を介して貼着して袋とじするので、袋とじ紙に表示された情報は密封されるようになる。そのため、この情報は、貼着された糊代部を切断して切除するか、あるいは貼着された糊代部を無理やり剥がすことでしか見ることができないので、他人が袋とじ紙に表示された情報を見ようとしても見た形跡が残ってしまうことから、それまでして他人は秘密を見ようとしにくくなり、このため、袋とじ紙に表示した情報を他人に容易に見られる事態を防止することができる。
【図面の簡単な説明】
【００１７】
【図１】本考案の実施の形態に係るノートを示す斜視図である。
【図２】本考案の実施の形態に係るノートを示す平面図である。
【図３】本考案の実施の形態に係る袋とじ紙を示す斜視図である。
【図４】本考案の実施の形態に係る袋とじ紙を、その糊代部を切除指示表示に従って切除した状態で示す斜視図である。
【図５】本考案の実施の形態に係る袋とじ紙を袋とじした状態で示す側面図である。
【図６】従来のノートの一例を示し、（Ａ）は斜視図、（Ｂ）は見開いた状態で示す図である。
【考案を実施するための形態】
【００１８】
以下、添付図面に基づいて本考案の実施の形態に係るノートを説明する。
図１乃至図５には、本考案の実施の形態に係るノートＮを示している。このノートＮは、情報を表示可能な表ページ２及び裏ページ３を有するとともに互いに止着される止着縁４を有した複数の紙１からなる冊子状に形成されている。実施の形態では、上側縁５，下側縁６，右側縁７及び左側縁８を有した矩形状に形成された紙１が複数枚用いられ、夫々の紙１の左側縁８が止着される止着縁４として構成されている。
【００１９】
この複数の紙１のうち連続する所定枚数の紙１は袋とじ可能な袋とじ紙１０として構成されており、この袋とじ紙１０には、常時は秘密にしておきたい情報を記入する等して表示しておく。この連続する袋とじ紙１０の組は１組若しくは複数組設けられている。図では１組のみ図示。
【００２０】
この袋とじ紙１０は、その隣接する一方の袋とじ紙１０ａの裏ページ３及び他方の袋とじ紙１０ｂの表ページ２であって止着縁４を除く外周縁部９（上側縁５，下側縁６及び右側縁７）に境界線２１により区画された所定幅の糊代部２０が形成されている。
【００２１】
袋とじ紙１０が２枚連続するときは、一方の袋とじ紙１０ａの裏ページ３及び他方の袋とじ紙１０ｂの表ページ２の糊代部２０に糊代部２０を貼着材２２を介して貼着可能なことを指示する貼着指示表示２３が付され、袋とじ紙１０が３枚以上連続するときは、最初と最後の袋とじ紙１０の糊代部２０に貼着指示表示２３が付されるとともに、最初と最後の袋とじ紙１０に挟まれる袋とじ紙１０の糊代部２０に糊代部２０の境界線２１を切断して糊代部２０を切除することを指示する切除指示表示２４が付されている。
【００２２】
貼着指示表示２３は、文字，図形，記号，色彩の少なくとも何れかから選択される。実施の形態では文字及び色彩を選択し、文字として「貼り合わせ」、色彩として黄色を表示している。これにより、糊代部２０が明確になるとともに、この糊代部２０をどのように使用するのかが、使用者に分かりやすくなる。
また、実施の形態では、この貼着指示表示２３が付された一対の袋とじ紙１０の少なくともいずれか一方の糊代部２０には、貼着材２２としての粘着材２２ａが付設されるとともに粘着材２２ａに引き剥がし可能な被覆テープ２２ｂが仮着されている。貼着材２２としては、例えば、両面テープ等が挙げられる。
【００２３】
切除指示表示２４は、貼着指示表示２３とは異なる文字，図形，記号，色彩の少なくとも何れかから選択される。糊代部２０が明確になるとともに、この糊代部２０をどのように使用するのかが、使用者に分かりやすくなる。即ち、貼着指示表示２３が付された糊代部２０と切除指示表示２４が付された糊代部２０とを区別しやすくなり、そのため、糊代部２０が貼着するべきものであるのか、あるいは切除すべきものであるのかを容易に区別することができる。
【００２４】
この切除指示表示２４は、実施の形態では、文字，図形及び色彩を選択し、文字として「袋とじにする時はこの部分を切り落としてください」、図形としてハサミの絵、色彩として黄色に斜線の白抜きを表示している。これにより、糊代部２０が切除すべきものであることが一目で分かるようになる。
また、実施の形態では、この切除指示表示２４が付された袋とじ紙１０の境界線２１にミシン目２１ａが形成されている。
【００２５】
ここで、本発明のノートＮの例を挙げると、ノートＮの表題を「自分ノート」とし、秘密情報として、「遺言」、「私の備忘録」、「私の貸し借り」、「万が一のとき」、「私の宝物」等の項目について記入できるようにし、これらの項目毎に袋とじ紙１０の組を複数組設けて割り振るようにしている。
【００２６】
具体的には、「遺言」と題した組には、遺言が記入できるように使用者の記入欄が設けられる。
「私の備忘録」と題した組には、例えば、私の携帯電話とパソコン、私の日記と手帳と写真、私の資格・証明など、私の預貯金、私の不動産、私の生命保険、私の年金と損害保険、私の投資、私の権利と金庫、私の車やバイク等の情報を記入できるように使用者の記入欄が設けられる。
【００２７】
「私の貸し借り」と題した組には、私の貸付、私の借入と保証人、私のローン返済、私のクレジットカード等の情報を記入できるように使用者の記入欄が設けられる。
「万が一のとき」と題した組には、私の万が一の時、私の仕事の軌跡、私のひみつ、私がいなくなった後の家族へ等の情報を記入できるように使用者の記入欄が設けられる。
【００２８】
「私の宝物」と題した組は、袋とじ紙１０が２枚連続しているものであり、この２枚の袋とじ紙１０で密封された空間に、例えば、ＤＶＤやＣＤ等の電子媒体，写真及び手紙等が収納されるようになっている。
【００２９】
次に、袋とじ紙１０以外の紙１に表示される内容について一例を挙げる。ここには、本ノートＮのコンセプト、本ノートＮの使用方法、西暦，和暦及び年齢の対照表、コラム、葬儀について、まめ知識等の本ノートＮの使用に関する情報が表示されるとともに、常時から公開しても良い情報が表示される。
【００３０】
常時から公開しても良い情報としては、「足跡をつづる」、「家族・友人の整理」、「これからの人生プラン」等と題されて題目毎に複数枚使用される。また、写真等を貼付するスペースも設けられる。
【００３１】
「足跡をつづる」には、私の年表、人生の履歴書等の情報を記入できるように使用者の記入欄が設けられる。
「家族・友人の整理」には、私のルーツ、親類縁者、私を支えてくれた人、私のカレンダー等の情報を記入できるように使用者の記入欄が設けられる。
「これからの人生プラン」には、これからの人生設計、私と病気、これからの生活プラン等の情報を記入できるように使用者の記入欄が設けられる。
【００３２】
従って、このノートＮを使用するときは、複数の紙１に設けられた項目に従って記入欄に情報を記入して表示する。また、予め設定してある項目以外に、使用者が記入したい内容があれば記入して表示する。このとき、例えば遺言等の常時はできるだけ秘密にしておきたい情報は袋とじ紙１０に記入して表示しておく。
【００３３】
袋とじ紙１０に情報を表示したならば、袋とじ紙１０の組毎に袋とじする。詳しくは、袋とじ紙１０が３枚以上連続するときには、先ず、図４に示すように、最初と最後の袋とじ紙１０に挟まれる袋とじ紙１０の糊代部２０を切除指示表示２４に従って糊代部２０の境界線２１を切断して糊代部２０を切除する。このとき、境界線２１にミシン目２１ａが形成されているので、糊代部２０を境界線２１に沿って綺麗に切断することができるとともに、切除すべき糊代部２０を容易に切除することができる。また、ハサミ等の切断具を用いなくても良いので、この点でも、糊代部２０を容易に切除することができる。その後、図５に示すように、最初と最後の袋とじ紙１０の糊代部２０同士を貼着指示表示２３の指示に従って貼着材２２を介して貼着する。このとき、糊代部２０に仮着された被覆テープ２２ｂを引き剥がして粘着材２２ａをあらわし、最初と最後の袋とじ紙１０の糊代部２０同士を貼り合わせることにより最初と最後の袋とじ紙１０の糊代部２０同士を貼着させる。粘着材２２ａが付設されているので、別途貼着材を用いなくても良く、そのため、最初と最後の袋とじ紙１０の糊代部２０の貼着が容易になる。このように袋とじを行なうと、貼着作業が一度で済むようになるので、複数の袋とじ紙１０を、その隣接する一方の袋とじ紙１０ａの裏ページ３と他方の袋とじ紙１０ｂの表ページ２との糊代部２０同士を貼着して複数の袋とじ紙１０を一枚ずつ貼着する場合に比較して、袋とじ紙１０を容易に袋とじすることができる。
【００３４】
また、ＤＶＤやＣＤ等の情報媒体，写真及び手紙等を収納するように袋とじ紙１０が２枚連続しているときは、連続する２枚の袋とじ紙１０に収納するものを挟んだ状態で、貼着指示表示２３の指示に従って、一方の袋とじ紙１０ａの裏ページ３と他方の袋とじ紙１０ｂの表ページ２との糊代部２０同士を貼着材２２を介して貼着して袋とじする。このときも、一方の袋とじ紙１０ａと他方の袋とじ紙１０ｂの少なくともいずれか一方の糊代部２０に貼着材２２としての粘着材２２ａが付設されているので、別途貼着材を用いなくても良く、そのため、最初と最後の袋とじ紙１０の糊代部２０の貼着が容易になる。
【００３５】
この場合、袋とじ紙１０に表示された遺言等の常時はできるだけ秘密にしておきたい情報は、袋とじにされて密封されているので、貼着された糊代部２０を切断して切除するか、あるいは貼着された糊代部２０を無理やり剥がすことでしか見ることができず、そのため、他人によって秘密情報を容易に見られることが防止される。もし、他人が袋とじ紙１０に表示された情報を見た場合には、袋とじ紙１０の貼着された糊代部２０を切除したり剥したりした形跡が残ってしまうので、その事実が容易に知れることになる。
【００３６】
また、袋とじ紙１０の組を複数組設けたので、常時は秘密にしておきたい情報が複数ある場合、項目毎に分けて袋とじすることができ、そのため、情報が整理しやすくなるとともに、開封する場合には、見たい情報が表示されている袋とじだけを開封することができる。
【００３７】
尚、上記実施の形態において、複数の紙１を、上側縁５，下側縁６，右側縁７及び左側縁８を有した矩形状に形成したが、必ずしもこれに限定されるものではなく、円形状，三角形状，多角形状に形成しても良く、適宜変更して差支えない。
また、上記実施の形態において、複数の紙１の左側縁８を止着縁４として構成したが、必ずしもこれに限定されるものではなく、上側縁５，下側縁６及び右側縁７の何れかを止着縁４として構成しても良く、適宜変更して差支えない。
【符号の説明】
【００３８】
Ｎ  ノート
１  紙
２  表ページ
３  裏ページ
４  止着縁
５  上側縁
６  下側縁
７  右側縁
８  左側縁
９  外周縁部
１０  袋とじ紙
２０  糊代部
２１  境界線
２１ａ  ミシン目
２２  貼着材
２２ａ  粘着材
２２ｂ  被覆テープ
２３  貼着指示表示
２４  切除指示表示
【図１】
0003159461.tif 000003
【図２】
0003159461.tif 000004
【図３】
0003159461.tif 000005
【図４】
0003159461.tif 000006
【図５】
0003159461.tif 000007
【図６】
0003159461.tif 000008